(57)【要約】      （修正有）【課題】光量調整羽根の帯電を防止することのできる光量調整装置およびこれを用いたレンズ鏡筒、光学機器を提供すること。【解決手段】駆動源１０５の駆動に伴い、回動され、回転部材１０２の回動により、羽根押さえ部材１０３との相対位相が調整され、光量調整羽根１０４が回動し、光量を調整する光量調整装置において、光量調整羽根１０４の隣接部品である回転部材１０２と羽根押さえ部材１０３のいずれか一方または両方が導電性を有し、回転部材１０２と羽根押さえ部材１０３のいずれか一方または両方は、制御基板と駆動源１０５とを接続する配線１０８を介し制御基板に備えられている接地に接続する導電経路１０８ａを有していることを特徴とする。【選択図】図１
2020134786.tif 000002
【特許請求の範囲】
【請求項１】
光軸中心に開口部を有したベース部材と、ベース部材に取り付けられた駆動源と、
駆動源の駆動を制御する制御基板と、
前記制御基板と前記駆動源とを接続する配線と、
前記駆動源は駆動回転軸と、駆動回転軸の軸中心となる軸受部を有し、
前記駆動源の駆動力を伝達する前記駆動回転軸に一体で回転可能な、駆動力伝達部材と、
前記ベース部材の開口部に設けられた嵌合部に嵌合し、前記嵌合部を回転軸として周方向に回動可能に支持される回転部材と、
光軸を中心に周方向等間隔で複数枚配置され、回動することで開口径を形成する光量調整羽根と、
前記回転部材に対し、前記複数の光量調整羽根を挟んで対面側には、前記光量調整羽根が回動可能な隙間を形成しつつ、前記ベース部材に固定されている羽根押さえ部材と、
前記複数の光量調整羽根には回転中心となる第１の係合部と、前記光量調整羽根を回動させるための駆動伝達部第２の係合部を有し、
前記光量調整羽根の前記第１の係合部は、前記回転部材と、前記第羽根押さえ部材とのいずれか一方に係合し、
他方には前記光量調整羽根を回動させる第２の係合部が、いずれか一方に形成されたカム形状と係合し、
前記回転部材は、前記駆動源の駆動力伝達部材と連結する連結部を有し、
前記駆動源の駆動に伴い、回動され、
前記回転部材の回動により、前記羽根押さえ部材との相対位相が調整され、光量調整羽根が回動し、光量を調整する光量調整装置において、
前記光量調整羽根の隣接部品である前記回転部材と前記羽根押さえ部材のいずれか一方または両方が導電性を有し、
前記回転部材と前記羽根押さえ部材のいずれか一方または両方は、前記制御基板と前記駆動源とを接続する配線を介し
前記制御基板に備えられている接地に接続する導電経路を有していることを特徴とする光量調整装置。
【請求項２】
前記羽根押さえ板が導電性を有し、前記羽根押さえ部材から、前記制御基板に備えられている接地に接続する導電経路は、前記羽根押さえ板に前記制御基板と前記駆動源とを接続する配線を導通可能に結合する結合手段で形成したことを特徴とする請求項１に記載の光量調整装置。
【請求項３】
前記ベース部材と、前記羽根押さえ板が導電性を有し、前記羽根押さえ部材から、前記制御基板に備えられている接地に接続する導電経路は、前記ベース部材と前記羽根押さえ板いずれか一方、又は両方に前記制御基板と前記駆動源とを接続する配線を導通可能に結合する結合手段で形成したことを特徴とする請求項１に記載の光量調整装置。
【請求項４】
前記ベース部材と、前記回転部材が導電性を有し、前記回転部材から、前記制御基板に備えられている接地に接続する導電経路は、前記ベース部材に前記制御基板と前記駆動源とを接続する配線を導通可能に結合する結合手段で形成したことを特徴とする請求項１に記載の光量調整装置。
【請求項５】
前記ベース部材と、前記回転部材と前記羽根押さえ板が導電性を有し、前記羽根押さえ板と、前記回転部材から、前記制御基板に備えられている接地に接続する導電経路は、前記ベース部材と前記羽根押さえ板いずれか一方、又は両方に前記制御基板と前記駆動源とを接続する配線を導通可能に結合する結合手段で形成したことを特徴とする請求項１に記載の光量調整装置。
【請求項６】
前記回転部材と前記駆動力伝達部材と前記駆動源の外装と
前記駆動源の駆動回転軸と前記駆動源の駆動回転軸受けが導電性を有し、
前記回転部材から、前記制御基板に備えられている接地に接続する導電経路は、前記駆動源の外装に備えられた結合部から、前記制御基板と前記駆動源とを接続する配線を導通可能に結合する結合手段で形成したことを特徴とする請求項１に記載の光量調整装置。
【請求項７】
前記回転部材と前記駆動力伝達部材と前記羽根押さえ板と前記駆動源の外装と
前記駆動源の駆動回転軸と前記駆動源の駆動回転軸受けが導電性を有し、
前記羽根押さえ板は、前記駆動源の外装部へ接触する接触部を有し、
前記羽根押さえ板と前記回転部材から、前記制御基板に備えられている接地に接続する導電経路は、前記駆動源の外装と前記羽根押さえ板いずれか一方、又は両方に備えられた結合部から、前記制御基板と前記駆動源とを接続する配線を導通可能に結合する結合手段で形成したことを特徴とする請求項１に記載の光量調整装置。
【請求項８】
光軸中心に開口部を有したベース部材と、ベース部材に取り付けられた駆動源と、
駆動源の駆動を制御する制御基板と、
前記制御基板と前記駆動源とを接続する配線と、
前記駆動源は駆動回転軸の軸中心となる軸受部を有し、
前記駆動源の駆動力を伝達する駆動力伝達部材と、
前記駆動力伝達部材に係合ざれ、前記駆動源の駆動により、
前記ベース部材の光軸に直行する面上で、スライド可能な複数の光量調整羽根と、
前記複数の光量調整羽根を挟んで対面側には、前記光量調整羽根がスライド可能な隙間を形成しつつ、前記ベース部材に固定されている羽根押さえ部材と
を有する光量調整装置において、
前記光量調整羽根の隣接部品である前記ベース部材と前記羽根押さえ部材のいずれか一方または両方が導電性を有し、
前記ベース部材と前記羽根押さえ部材のいずれか一方または両方は、
前記制御基板と前記駆動源とを接続する配線を導通可能に結合する結合手段を有し、
前記制御基板と前記駆動源とを接続する配線を介し
前記制御基板に備えられている接地に接続する導電経路を有していることを特徴とする光量調整装置。
【発明の詳細な説明】
【技術分野】
【０００１】
本発明は、レンズ交換が可能な、あるいは、レンズを一体に有する、スチルカメラやビデオカメラ等の光量調整装置に関する。
【背景技術】
【０００２】
カメラ用交換レンズのような光学機器には、撮影画像の明るさを適正にする、もしくは被写界深度を変化させる目的で、光学系内に配置された光量調整装置の開口径を制御し光量を調整する光量調整装置がある。
【０００３】
このような光量調整装置としては、光軸を中心に周方向に等間隔で配置された複数の光量調整羽根を回動して光量調整装置の開口径を変化させることにより、その光量調整装置の開口部を通過する光量を調整するものがある。光量調整羽根は開口調整時に隣接した光量調整羽根と互いに面摺動をしながら、開口調整を行うため、繰り返しの往復動作で摩擦により静電気が生じ、光量調整羽根が帯電してしまうことがある。光量調整羽根が帯電すると、隣接する羽根同士の摺動摩擦が増大し、作動特性や口径精度に影響を及ぼしてしまう。
【０００４】
その為、光量調整羽根に対し、静電気除去や帯電防止の手段について、いくつかの解決手段が開示されている。特許文献１には、静電気の除去手段として、光学フィルタを保持する枠を導電部材として、導電部材の枠と外部の鏡筒や基板に導線を接続して静電気を除去する手段が記載されている。また、その他の従来技術として、前記光量調整羽根の表面に導電塗装を施し、導電性を付与したもの、また、材質にカーボンフィラーなどの導電性繊維を含有した樹脂や、金属など、基材に導電性を有したものが光量調整装置に組み込まれているものが知られている。
【先行技術文献】
【特許文献】
【０００５】
【特許文献１】特許第６０３９３０８号公報
【発明の概要】
【発明が解決しようとする課題】
【０００６】
しかしながら、特許文献１で開示された静電気除去手段は光量調整羽根の様に作動する物には適さない。また、保持枠を外部の鏡筒または接地するために、専用の導線で接続することになり、部品点数の増加やスペースの確保の必要が有る為、大型化につながる懸念がある。また、光量調整羽根自身に導電性を持たせていても、接地までの導通経路がない状態であると、静電気が逃げる場所がなく、徐々に帯電していくことがわかっている。
【０００７】
本発明の目的は、光量調整羽根の回動を阻害せず、且つ、部品点数を増やすことなく、光量調整羽根の帯電を防止することのできる光量調整装置およびこれを用いたレンズ鏡筒、光学機器を提供することにある。
【課題を解決するための手段】
【０００８】
上記の目的を達成するために、本発明に係る光量調整装置は、
光軸中心に開口部を有したベース部材と、ベース部材に取り付けられた駆動源と、駆動源の駆動を制御する制御基板と、
前記制御基板と前記駆動源とを接続する導線と、前記駆動源の駆動力を伝達する駆動力伝達部材と、
前記ベース部材の開口部に設けられた嵌合部に嵌合し、前記嵌合部を回転軸として周方向に回動可能に支持される回転部材と、
光軸を中心に周方向等間隔で複数枚配置され、回動することで開口径を形成する光量調整羽根と、
前記回転部材に対し、前記複数の光量調整羽根を挟んで対面側には、前記光量調整羽根が回動可能な隙間を形成しつつ、前記ベース部材に固定されている羽根押さえ部材と、
前記複数の光量調整羽根には回転中心となる第１の係合部と、前記光量調整羽根を回動させるための駆動伝達部第２の係合部を有し、
前記光量調整羽根の前記第１の係合部は、前記回転部材と、前記第羽根押さえ部材とのいずれか一方に係合し、
他方には前記光量調整羽根を回動させる第２の係合部が、いずれか一方に形成されたカム形状と係合し、
前記回転部材は、前記駆動源の駆動力伝達部材と連結する連結部を有し、前記駆動源の駆動に伴い、回動され、
前記回転部材の回動により、前記羽根押さえ部材との相対位相が調整され、光量調整羽根が回動し、光量を調整する光量調整装置において、
前記光量調整羽根の隣接部品である前記回転部材と前記羽根押さえ部材のいずれか一方または両方が導電性を有し、
前記回転部材と前記羽根押さえ部材のいずれか一方または両方は、前記制御基板と前記駆動源とを接続する配線を介し
前記制御基板に備えられている接地に接続する導電経路を有していることを特徴とする。
【発明の効果】
【０００９】
本発明によれば、光量調整羽根の回動を阻害せず、且つ、部品点数を増やすことなく、光量調整羽根の帯電を防止することのできる光量調整装置およびこれを用いたレンズ鏡筒、光学機器を提供することができる。
【図面の簡単な説明】
【００１０】
【図１】本発明実施例１〜４における光量調整装置の構成を示す説明図
【図２】本発明実施例１〜４における光量調整装置の構成を示す分解斜視図
【図３】本発明実施例１、３、４、５における光量調整装置の導通経路を形成手段の説明図
【図４】本発明実施例１〜３における光量調整装置の光量調整方法を示す説明図
【図５】本発明実施例４における光量調整装置の構成示す説明図
【図６】本発明実施例５における光量調整装置の構成示す説明図
【図７】本発明実施例５における光量調整装置の構成示す分解斜視図
【図８】本発明の実施形態に係る光量調整装置を搭載した撮像装置としてのレンズ交換式デジタル一眼レフカメラおよびレンズ鏡筒としての交換レンズの要部断面図
【発明を実施するための形態】
【００１１】
以下、本発明するための形態について、図面を参照しながら詳細に説明する。図１は、本発明の実施形態にかかわる光量調整装置の構成を示す説明図である。
【実施例１】
【００１２】
図１〜４を参照して、本発明の実施例１による、光量調整装置について説明する。
【００１３】
まず、本発明の第１の実施形態に係る光量調整装置を搭載可能な光学機器としての撮像装置について説明する。ここでは、このような撮像装置として、静止画撮影および動画撮影が可能なレンズ交換式デジタル一眼レフカメラ（レンズユニットである交換レンズを備えたレンズ鏡筒と、カメラ本体とを備える）を挙げる。
【００１４】
図８は、本発明の実施形態に係る光量調整装置を搭載した撮像装置としてのレンズ交換式デジタル一眼レフカメラおよびレンズ鏡筒としての交換レンズの要部断面図である。
【００１５】
図８に示すデジタル一眼レフカメラは、カメラ本体１と、レンズ鏡筒２とを備える。カメラ本体１に設けられたカメラマウント部１ａと、レンズ鏡筒２に設けられたレンズマウント部２ａとは、いわゆるバヨネット結合により機械的に着脱可能となっている。
【００１６】
カメラ本体１とレンズ鏡筒２は、カメラマウント部１ａとレンズマウント部２ａを介して電気的な通信を行なう。
【００１７】
カメラ本体１は、メインミラー３、ペンタプリズム４、ピント板５、ファインダレンズ６、測光ユニット７を備える。
【００１８】
また、サブミラー８、焦点検出ユニット９、フォーカルプレーンシャッターユニット１０、撮像素子１１、ディスプレイパネル１２、更にマイクユニット１３を備える。
【００１９】
このようなデジタル一眼レフカメラによれば、レンズ鏡筒２により結像される被写体像を形成する光束がメインミラー３で反射され、ピント板５上に結像し、ペンタプリズム４で正立像となり、ファインダレンズ６により観察可能となる。
【００２０】
測光ユニット７は、複数の受光部からなる測光センサと、ピント板５上に結像した被写体像を測光センサ上に再結像させる測光レンズとから成り、被写体像の輝度が検出される。
【００２１】
レンズ鏡筒２により結像される被写体像は、メインミラー３で透過された一部の光束がサブミラー８で反射され、焦点検出ユニット９へ導かれる。焦点検出ユニット９は、フィールドレンズ、二次結像レンズ、一対のＡＦセンサよりなり、いわゆる位相差方式により焦点検出を行なう。
【００２２】
撮像素子１１は、ＣＣＤやＣＭＯＳなどの光の量を電気信号として取りだすことが可能な光電変換素子である。
【００２３】
撮像素子１１のセンサ面と、焦点検出ユニット９のＡＦセンサのセンサ面とは、光学的に共役の位置にあり、焦点検出ユニット９により撮像素子１１での合焦状態を予め検出することが可能である。
【００２４】
ディスプレイパネル１２は、撮像素子１１から得られた被写体像の確認が可能であり、その他の様々な撮影情報の確認やカメラのモード設定が図示しない操作手段により行なわれる。なお、マイクユニット１３は、被写体の音を取得する。
【００２５】
ここで、上述したレンズ鏡筒２は、図８に示すようなカメラのみならず、撮像素子を備えたデジタルスチルカメラ、ビデオカメラ、または銀塩フィルムを使用するスチルカメラなどの撮像装置（カメラ本体）に対して着脱可能なレンズ鏡筒ともなる。
【００２６】
ただし、レンズ鏡筒２は、撮像装置に内蔵するものであってもよいし、撮像装置に限らず、例えばいわゆるプロジェクターなどの画像投射装置に着脱するレンズ鏡筒、または画像投射装置に内蔵するものであってもよい。
【００２７】
レンズ鏡筒２は、第一レンズ群Ｌ１、第二レンズ群Ｌ２、第三レンズ群Ｌ３、第四レンズ群Ｌ４、第五レンズ群Ｌ５、および第六レンズ群Ｌ６の６つのレンズ群からなる光学系を含む。
【００２８】
第一レンズ群Ｌ１、第三レンズ群Ｌ３、第五レンズ群Ｌ５、および第六レンズ群Ｌ６は、光軸方向に固定のレンズ群である。
【００２９】
第二レンズ群Ｌ２および第四レンズ群Ｌ４は、合焦動作を行うものであり、光軸方向に移動する。
【００３０】
図８においては、光軸（図中一点鎖線）の上側と下側には、動作が分かり易いように異なる動作状態を示して説明する。
【００３１】
具体的には、光軸（図中一点鎖線）の上側には、第二レンズ群Ｌ２と第四レンズＬ４が無限の被写体に合焦している状態を示しており、光軸の下側には、第二レンズ群Ｌ２ｍと第四レンズＬ４ｍが最至近の被写体に合焦している状態を示している。
【００３２】
カメラ本体１のレンズ鏡筒２には、本実施形態に係る光量調整装置１００が設けられている。
【００３３】
光量調整装置１００は、レンズ鏡筒２の光路中に設けられ、光量調整羽根を駆動して絞りの開口径を変化させることにより、その絞りの開口部を通過する光量を調整する。
【００３４】
すなわち、光量調整装置１００は、撮影画像の明るさを適正にする、もしくは被写体のピントが合っているように見える範囲（被写界深度）を変化させる目的で、絞り開口径が制御される。
【００３５】
なお、絞り開口径の調整は、撮影者の手動操作によるもの、または撮像装置側からの動作指令に基づく自動動作によるものを問わない。
【００３６】
静止画撮影は、以下の手順で行なわれる。
【００３７】
図示しないカメラ本体１の制御手段は、被写体の合焦状態を焦点検出ユニット９から、また明るさ情報を測光ユニット７から検出し、マウントを介してレンズ鏡筒２にレンズの駆動すべき量と、光量調整装置１００の絞り値を通信する。
【００３８】
そして、レンズ鏡筒２では、図示しない制御手段により合焦動作および所定の絞り値への絞り込み動作が行なわれる。
【００３９】
その後、メインミラー３およびサブミラー８が光路外に退避され、フォーカルプレーンシャッターユニット１０が適切なシャッタースピードで駆動されることで、撮像素子１１により適切な明るさの撮影画像が得られる。
【００４０】
撮影画像の明るさは、絞り値とシャッタースピードと撮像素子の感度により決定される。動画撮影においては、メインミラー３およびサブミラー８は光路外に退避されフォーカルプレーンシャッターユニット１０も開いた状態で撮像素子１１により画像が連続して取得される。
【００４１】
この時、測光ユニット７および焦点検出ユニット９には被写体像が到達していないので、明るさ情報および合焦状態は、撮像素子１１から取得される画像信号を処理することで得られ、周知の手段により画像の明るさおよび合焦状態が制御される。
【００４２】
記録されている動画は、ディスプレイパネル１２によりモニターされ、マイクユニット１３により得られる被写体の音が同時に記録される。
【００４３】
動画撮影時の撮影画像の明るさは、絞り値と撮像素子の感度と撮像素子の光の蓄積時間を加減するいわゆる電子シャッターにより決定される。
【００４４】
被写体の明るさの変動に対して、どのパラメーターで画像の明るさが制御されるかは、その時の状況によるが、絞り値で制御される場合には、絞り込み方向と絞り開放方向の両方向への駆動が適宜行なわれる。
【００４５】
図１、２を用いて、実施例１の光量調整装置１００の構成を以下に説明していく。
【００４６】
１０１はベース部材であるところの絞り地板、１０２は回転部材であるところの絞り駆動リング、１０３は羽根押さえ部材であるところのカム板、１０４は光量調整羽根、１０５は駆動源であるところのステッピングモータである。１０５ａはステッピングモータ１０５の回転駆動軸、１０５ｂは回転駆動軸１０５ａを同軸で回転可能に支持している軸受けである。
【００４７】
絞り地板１０１は光軸を中心とした開口円１０１ａを有している。開口円１０１ａは絞り駆動リング１０２に設けられた嵌合径部１０２ａ有しており、前記嵌合径部１０２ａを回転軸に回動自在に絞り地板１０１に保持される。
【００４８】
１０１ｂは、絞り地板１０１において中心軸に対して所定の位置に設けられた軸受け基準穴である。駆動源１０５の軸受け１０５ｂが、軸受け基準穴１０１ｂに挿入され、駆動源１０５に設けられた固定部１０５ｃをビスなどにより絞り地板１０１に固定することで、回転駆動軸１０５ａが所定位置に配設される。
【００４９】
１０６は駆動歯車（駆動源１０５の駆動軸中心に配設）であるところのピニオンギアであり、回転駆動軸１０５ａに固定されている。１０２ｂは絞り駆動リング１０２の周縁部に設けられ、ピニオンギア１０６と噛合い、駆動源１０５の回転駆動力を受けることで絞り駆動リング１０２を回転せしめる従動歯車であるところのリングギアである。
【００５０】
カム板１０３は、９枚の光量調整羽根１０４と絞り駆動リング１０２の作動スペースを確保して、絞り地板１０１に支持される。
【００５１】
１０７は絞り開放を検出する開放スイッチである。絞り地板１０１とカム板１０３の間に絞り駆動リング１０２と９枚の光量調整羽根１０４が収容され、光量調整羽根１０４には、回転ピン１０４ａとカムピン１０４ｂが配設されている。
【００５２】
そして、絞り駆動リング１０２には、回転ピン１０４ａに対して嵌合設定の回転穴１０２ｃが周方向に均等に９個設けられ、９枚の光量調整羽根１０４が回転ピン１０４ａに対して回転自在に支持されている。また、カム板１０３には、カムピン１０４ｂに対して嵌合設定のカム溝１０３ａが周方向に均等に９本設けられている。回転部材である絞り駆動リング１０２が回転させられると、カム溝１０３ａに係合している絞り羽根１０４のカムピン１０４ｂはカム溝１０３ａに沿って回転ピン１０４ａを中心に光量調整羽根１０４を回転させる。
【００５３】
９枚の光量調整羽根１０４は、同じ支持構成で周方向に均等に配置されているので、周知のように絞り駆動リング１０２の回転により、光軸を中心とする所望の絞り開口径の設定が可能となっている。
【００５４】
前述までの記載から、絞り開口径の調整は絞り駆動リング１０２とカム板１０３の相対位相を変えることで光量調整羽根１０４が回動して絞り開口径の設定されることが説明できる。１０８は駆動源１０５を駆動させる不図示の制御基板と接続する配線である。
【００５５】
配線１０８は駆動源１０５と開放スイッチ１０７とを不図示の制御回路に接続し、制御基板からの制御信号で、駆動源１０５の駆動量が制御される。
【００５６】
本実施例では配線１０８はフレキシブルプリント基板のようなシート状の配線基板であるが、ハーネスのような導線を用いても良い。
【００５７】
配線１０８に制御基板のＧＮＤに接続する、接地ライン１０８ａを有し、接地ライン１０８ａは光量調整羽根１０４の隣接部品である絞り駆動リング１０２または、カム板１０３を経由して制御基板のＧＮＤに接続する導電経路を形成する。
【００５８】
接地ライン１０８ａは制御基板のＧＮＤへの接地接続専用としても良いし、開放スイッチ１０７にＧＮＤ接続ラインがある場合、その配線を共有しても良い。
【００５９】
光量調整羽根１０４の隣接部品である、カム板１０３から制御基板のＧＮＤに接地することによって、光量調整羽根１０４に蓄積した静電気（電荷）の除去、又は帯電防止がなされる。
【００６０】
カム板１０３を経由して制御基板のＧＮＤに接続する導通経路の形成手段を以下にて説明していく。
【００６１】
カム板１０３はカーボンフィラー等の導電性繊維を含有した導体抵抗が１０３Ω程度の樹脂成型部材や、金属材質の使用など、導電性を有する材質でも良く、また、材料表面に導電性を有した塗装を施しても良い。
【００６２】
配線１０８の接地ライン１０８ａをカム板１０３のいずれかにビス、又は加締め、接着などの固定手段で、固定されることで、制御基板のＧＮＤに接続する導電経路を形成することができる。
【００６３】
また、絞り地板１０１をカーボンフィラー等の導電性繊維を含有した導体抵抗が１０３Ω程度の樹脂成型部材や、金属材質の使用など、導電性を有する材質でも良く、また、材料表面に導電性を有した塗装を施しても良い。
【００６４】
カム板１０３は絞り地板１０１に複数の固定部で結合することでカム板１０３と絞り地板１０１は導電性を有する。
【００６５】
本実施例での結合手段はビス固定であるが、接着、あるいはフックなどで結合しても良い。
【００６６】
前記絞り地板１０１が導電性の部材の場合、配線１０８の接地ライン１０８ａは絞り地板１０１にビス、又は加締め、接着などの固定手段で、固定されることで、制御基板のＧＮＤに接続する導電経路を形成することができる。
【００６７】
本実施例では接地ライン１０８ａは絞り地板１０１に設けられたピン１０１ｃを熱加締めして固定している。
【実施例２】
【００６８】
以下、図１〜４を参照して、本発明の実施例２による、光量調整装置の別形態について説明する。
【００６９】
実施例１の構成において、光量調整羽根１０４の隣接部品である、カム板１０３から制御基板のＧＮＤに接地することによって、光量調整羽根１０４に蓄積した静電気（電荷）の除去、又は帯電防止がなされることを説明した。
【００７０】
しかし、光量調整羽根１０４の隣接部品である、絞り駆動リング１０２を制御基板のＧＮＤに接地する導電経路を形成することによっても光量調整羽根１０４に蓄積した静電気（電荷）の除去、又は帯電防止の効果がなされる。
【００７１】
絞り駆動リング１０２を経由して制御基板のＧＮＤに接続する導通経路の形成手段を以下にて説明していく。
【００７２】
絞り駆動リング１０２はカーボンフィラー等の導電性繊維を含有した導体抵抗が１０３Ω程度の樹脂成型部材や、金属材質の使用など、導電性を有する材質でも良く、また、材料表面に導電性を有した塗装を施しても良い。
【００７３】
また、絞り地板１０１をカーボンフィラー等の導電性繊維を含有した導体抵抗が１０３Ω程度の樹脂成型部材や、金属材質の使用など、導電性を有する材質でも良く、また、材料表面に導電性を有した塗装を施しても良い。
【００７４】
絞り駆動リング１０２と、絞り地板１０１は光量調整装置が駆動時、係合部は必ず接触するため、絞り駆動リング１０２と絞り地板１０１の導電経路を確保できる。
【００７５】
以上により、絞り駆動リング１０２と絞り地板１０１の導通経路が形成され、配線１０８の接地ライン１０８ａは絞り地板１０１にビス、又は加締め、接着などの固定手段で、固定されることで、制御基板のＧＮＤに接続する導通経路を形成することができる。
【００７６】
本実施例では配線１０８の接地ライン１０８ａは図４で示すように絞り地板１０１に設けられたピン１０１ｃを熱加締めして固定している。
【実施例３】
【００７７】
以下、図１〜４を参照して、本発明の実施例３による、光量調整装置の別形態について説明する。
【００７８】
実施例１、実施例２の構成において、光量調整羽根１０４の隣接部品である絞り駆動リング１０２とカム板１０３のいずれか一方から制御基板のＧＮＤに接地することで、光量調整羽根１０４に蓄積した静電気（電荷）の除去、又は帯電防止がなされることを説明した。
【００７９】
しかし、光量調整羽根１０４の両側の隣接部品である、絞り駆動リング１０２とカム板１０３を制御基板のＧＮＤに接地する導通経路を形成することによって、光量調整羽根１０４に蓄積した静電気（電荷）の除去、又は帯電防止の効果が更に向上する。
【００８０】
絞り駆動リング１０２および、カム板１０３を経由して制御基板のＧＮＤに接続する導通経路の形成手段を以下にて説明していく。
【００８１】
絞り駆動リング１０２および、カム板１０３はカーボンフィラー等の導電性繊維を含有した導体抵抗が１０３Ω程度の樹脂成型部材や、金属材質の使用など、導電性を有する材質でも良く、また、材料表面に導電性を有した塗装を施しても良い。
【００８２】
また、絞り地板１０１をカーボンフィラー等の導電性繊維を含有した導体抵抗が１０３Ω程度の樹脂成型部材や、金属材質の使用など、導電性を有する材質でも良く、また、材料表面に導電性を有した塗装を施しても良い。
【００８３】
絞り駆動リング１０２と、絞り地板１０１は光量調整装置が駆動時、係合部は必ず接触するため、絞り駆動リング１０２と絞り地板１０１の導電経路を確保できる。
【００８４】
また、カム板１０３は絞り地板１０１に複数の固定部で結合されている。本実施例での固定手段はビス固定であるが、接着、あるいはフックなどで結合しても良い。
【００８５】
以上により、カム板１０３と絞り地板１０１、絞り駆動リング１０２と絞り地板１０１の導通経路が形成される。
【００８６】
配線１０８の接地ライン１０８ａは絞り地板１０１、又はカム板１０３のいずれかにビス、又は加締め、接着などの固定手段で、固定されることで、制御基板のＧＮＤに接続する導通経路を形成することができる。
【００８７】
本実施例では配線１０８の接地ライン１０８ａは図３で示すようにカム板に設けられたピン１０３ｂ、または図４で示すように絞り地板１０１に設けられたピン１０１ｃを熱加締めして固定している。
【実施例４】
【００８８】
以下、図５を参照して、本発明の実施例４による、光量調整装置の別形態について説明する。
【００８９】
実施例１から３の構成において、絞り地板１０１には開放スイッチ１０７などの電気素子が固定されることがある。
【００９０】
実施例１から３にて説明の通り、絞り地板を導電性部材にすると、開放スイッチ１０７の電気素子端子間でのショートや、外部からの静電気による電気破壊が生じる場合がある。
【００９１】
本実施例では、絞り地板１０１を非導電部材にした場合の絞り駆動リング１０２または、カム板１０３を経由して制御基板のＧＮＤに接続する導電経路の形成手段を以下にて説明していく。
【００９２】
駆動源１０５は回転駆動軸１０５ａ、回転駆動軸１０５ａを同軸で回転可能に支持している軸受け１０５ｂで構成され、駆動歯車１０６が、前記回転駆動軸１０５ａに圧入または接着などで回転機軸１０５ａと一体に回転するように固定されている。
【００９３】
前記、回転駆動軸１０５ａ、軸受け１０５ｂは導電性を有した、金属部材である。
【００９４】
また、駆動源１０５のケース１０５ｄは、駆動源であるステッピングモータの磁路を形成する金属ヨークであり、固定部１０５ｃは金属板金である。
【００９５】
駆動歯車１０６をカーボンフィラー等の導電性繊維を含有した導体抵抗１０３Ω程度の樹脂成型部材や、金属など、導電性を有する材質で形成しても良いし、また、材料表面に導電性を有した塗装を施しても良い。
【００９６】
絞り駆動リング１０２と、駆動歯車１０６は光量調整装置が駆動時、駆動伝達部の係合により必ず接触するため、絞り駆動リング１０２と駆動源１０５のケース１０５ｄまでの導電経路を確保できる。
【００９７】
また、駆動源１０５の固定の一部をカム板１０３に接触することで、カム板１０３と駆動源１０５の導通経路を確保することができる。
【００９８】
前記、駆動源１０５とカム板１０３の導通経路確保手段は、駆動源１０５とのビス締め固定や、図５に示す通り駆動源１０５と絞り地板１０１の固定受け面の一部をカム板１０３に形成した導通経路形状１０３ｃを接触させるなどの手段で良い。
【００９９】
以上により、カム板１０３と駆動源１０５、絞り駆動リング１０２から駆動源１０５の導通経路が形成される。
【０１００】
配線１０８の接地ライン１０８ａは駆動源１０５のケース１０５にビス、又は加締め、接着、半田付けなどの固定手段で、固定されることで、制御基板のＧＮＤに接続する接地経路を形成することができる。
【０１０１】
本実施例では、図５で示すように、駆動源１０５のケース１０５ｄに形成された端子部に配線１０８ａを半田付けすることで制御基板のＧＮＤに接続する接地経路を形成している。また、実施例２に記載の通り、前記導通経路は絞り駆動リング１０２からのみを制御基板のＧＮＤに接地する導通経路を形成することでも良い。
【実施例５】
【０１０２】
以下、図６、７を参照して、本発明の実施例５による、光量調整装置の別形態について説明する。
【０１０３】
光量調整装置には実施例１〜４で説明した、光量調整羽根が回動するいわゆる虹彩絞りと、以下に説明する、光量調整羽根が光軸直行方向の面内でスライドタイプの光量調整装置がある。
【０１０４】
１１０はベース部材であるところの絞り地板、１１１は羽根押さえ部材であるところの羽根押さえ板、１１２は光量調整羽根、１１３は駆動源であるところのガルバノメータである。１１３ａ、１１３ｂは光量調整羽根１１２に係合し、駆動源１１３の駆動力により光量調整羽根を移動させる駆動アームである。
【０１０５】
１１４は駆動源１１３を駆動させる不図示の制御基板と接続する配線である。配線１１４は駆動源１１３を不図示の制御回路に接続し、制御基板からの制御信号で、駆動源１１３の駆動量が制御される。
【０１０６】
光量調整羽根１１２は駆動アーム１１３ａに係合し、光軸直行方向に直進スライド駆動する第１の光量調整羽根１１２ａと、駆動アーム１１３ｂに係合し、第１の光量調整羽根１１２ａとは相対的に逆方向に直進スライド駆動する第２の光量羽根１１２ｂを有する。
【０１０７】
前記第１の光量調整羽根１１２ａと第２の光量調整羽根１１２ｂは前記駆動源１１３の回動工藤により、前記絞り地板１１０の面上光軸直行方向で相対的に逆方向に直進スライド駆動することで開口形状を可変し、光量調整可能である。
【０１０８】
前記羽根押さえ板１１１は前記絞り地板１１０に対し、光量調整羽根１１２を挟んで対向側に固定され、光量調整羽根１１２は羽根押さえ板１１１に摺動可能に接している。光量調整羽根１１２の両側の隣接部品である、絞り地板１１０と羽根押さえ板１１１のいずれか一方または両方を制御基板のＧＮＤに接地する導通経路を形成することによって、光量調整羽根１１２に蓄積した静電気（電荷）の除去、又は帯電防止の効果が得られる。
【０１０９】
絞り地板１１０および、羽根押さえ板１１１を経由して制御基板のＧＮＤに接続する導通経路の形成手段を以下にて説明していく。
【０１１０】
絞り地板１１０および、羽根押さえ板１１１のいずれか一方または両方の材質をカーボンフィラー等の導電性繊維を含有した導体抵抗が１０３Ω程度の樹脂成型部材や、金属材質の使用など、導電性を有する材質で形成しても良い。
【０１１１】
また、材料表面に導電性を有した塗装を施しても良い。
【０１１２】
配線１１４の接地ライン１１４ａを絞り地板１１０または、羽根押さえ板１１１の導電性を有したいずれか一方にビス、又は加締め、接着などの固定手段で、固定されることで、制御基板のＧＮＤに接続する導電経路を形成することができる。
【０１１３】
また、羽根押さえ板１１１は絞り地板１１０の両方とも導電性を有した部材で形成した場合、羽根押さえ板１１１は絞り地板１１０に複数の固定部で結合することで羽根押さえ板１１１と絞り地板１１０は導電性を有する。本実施例での結合手段はビス固定であるが、接着、あるいはフックなどで結合しても良い。
【０１１４】
前記絞り地板１１０が導電性部材の場合、配線１１４の接地ライン１１４ａは絞り地板１１０または、羽根押さえ板１１１のいずれか一方にビス、又は加締め、接着などの固定手段で、固定されることで、制御基板のＧＮＤに接続する導電経路を形成することができる。
【０１１５】
本実施例では接地ライン１１４ａは絞り地板１１０に設けられたピン１１０ａを熱加締めして固定している。
【０１１６】
以上、本発明の好ましい実施形態について説明したが、本発明はこれらの実施形態に限定されず、その要旨の範囲内で種々の変形及び変更が可能である。
【０１１７】
本発明は、レンズ交換が可能な、あるいは、レンズを一体に有する、スチルカメラやビデオカメラ等の光量調整装置に関するものである。
【符号の説明】
【０１１８】
１０１  絞り地板、１０２  絞り駆動リング、１０３  カム板、
１０４  光量調整羽根、１０５  駆動源、１０６  駆動歯車、
１０７  開放スイッチ、１０８  フレキシブルプリント基板
【図１】
2020134786.tif 000003
【図２】
2020134786.tif 000004
【図３】
2020134786.tif 000005
【図４】
2020134786.tif 000006
【図５】
2020134786.tif 000007
【図６】
2020134786.tif 000008
【図７】
2020134786.tif 000009
【図８】
2020134786.tif 000010